(57)【要約】【課題】相手端末がどこの国に存在する場合でも、互いの音声を聴き易くすることができる携帯電話端末を得ることを目的とする。【解決手段】現在接続されている基地局と無線通信を実施して、その基地局が設置されている国を示す国識別情報を収集する通信制御部９と、その通信制御部９により収集された国識別情報と相手端末の電話番号から相手端末が存在している国を特定するゲイン設定部１１とを設け、ゲイン設定部１１が、相手端末が存在している国に適するゲインを送話アンプ２と受話アンプ６に設定する。【選択図】図１
2007312016.tif 000002
【特許請求の範囲】
【請求項１】
現在接続されている基地局と無線通信を実施して、上記基地局が設置されている国を示す国識別情報を収集する識別情報収集手段と、上記識別情報収集手段により収集された国識別情報と相手端末の電話番号から相手端末が存在している国を特定する国特定手段と、上記国特定手段により特定された国に適するゲインを送話アンプと受話アンプに設定するゲイン設定手段とを備えた携帯電話端末。
【請求項２】
メモリから使用を許可する国を示す国識別情報を読み込む識別情報読込手段と、上記識別情報読込手段により読み取られた国識別情報と相手端末の電話番号から相手端末が存在している国を特定する国特定手段と、上記国特定手段により特定された国に適するゲインを送話アンプと受話アンプに設定するゲイン設定手段とを備えた携帯電話端末。
【請求項３】
国特定手段は、相手端末の電話番号に国番号が含まれていれば、その国番号から相手端末が存在している国を特定し、相手端末の電話番号に国番号が含まれていなければ、相手端末が存在している国が国識別情報が示す国と同一の国であると認識することを特徴とする請求項１または請求項２記載の携帯電話端末。
【発明の詳細な説明】
【技術分野】
【０００１】
この発明は、国際電話をかける際に送話アンプと受話アンプのゲインを設定する機能を備えている携帯電話端末に関するものである。
【背景技術】
【０００２】
携帯電話端末において、適切な音量で通話ができることは重要であるが、実際には不適切な音量となる場合がある。
例えば、ユーザＡが或る送話レベルの音声を携帯電話端末（以下、「自端末」と称する）のマイクに向かって発し、ユーザＢが携帯電話端末（以下、「相手端末」と称する）のレシーバで、ユーザＡの音声を聴取するときの受話音声レベルについて説明する。
ここでは、ユーザＡの口から自端末のマイクまでの音響ロス、マイクの音響電気変換効率及び電気回路内のアンプゲインを総合して「送話感度」と称し、相手端末の電気回路内のアンプゲイン、レシーバの電気音響変換効率及びレシーバからユーザＢの耳までの音響ロスを総合して「受話感度」と称する。
【０００３】
相手端末の受話音声レベルは、自端末の送話音声レベル及び送話感度と、相手端末の受話感度とで決まる。
したがって、相手端末において、適切な受話音量を確保するには、自端末の送話音声レベルが標準レベルであると仮定すると、送話感度と受話感度が一対になって適切に設定されている必要がある。
ところが、送話感度と受話感度は、通常、標準的な値に決定されているが、国毎に異なる値に決められている。
一般的に、携帯電話端末の送話感度と受話感度は、国毎に、従来の固定電話と整合性が取れるように決められている。
【０００４】
その結果、国際電話では、自端末と相手端末の間で送話感度と受話感度が異なるため、例えば、自端末側では相手端末から送信されるユーザＢの音声が大きく聴こえ過ぎる一方、相手端末側では自端末から送信されるユーザＡの音声が小さく聴こえ過ぎるなどの不整合を生じる場合がある。
【０００５】
近年の携帯電話端末には、国内と国外の両方で使用することが可能な端末（いわゆる国際ローミングが可能な端末）がある。
このような携帯電話端末が、国内において、国内の相手端末と通話する場合に適切な送話感度と受話感度に設定されているとき、国外の相手端末と通話する場合、先に述べた国際電話と同様の不整合を生じることになる。
【０００６】
国際電話における上記の不整合を解消するものではないが、自端末が或る地域エリアから他の地域エリアに移動したとき、送話音量と受話音量が変わることがあることを考慮して、自端末が現在存在している地域エリアの変化を検出し、その地域エリアが変化したとき、送話アンプと受話アンプのゲインを変更するようにしている携帯電話端末が開発されている（例えば、特許文献１参照）。
ただし、相手端末が存在している地域エリアを考慮していないので、国外の相手端末と音声通信するような場合には、上記の不整合を解消することはできない。
【０００７】
【特許文献１】特開２００２−２９０５３９号公報（段落番号［０００８］、図２）
【発明の開示】
【発明が解決しようとする課題】
【０００８】
従来の携帯電話端末は以上のように構成されているので、例えば、国内の相手端末と通話する際に適するゲインが送話アンプと受話アンプに設定されているとき、国外の相手端末と通話すると、送話アンプと受話アンプのゲインが不適切になり、互いの音声が聴こえ難くなるなどの課題があった。
【０００９】
この発明は上記のような課題を解決するためになされたもので、相手端末がどこの国に存在する場合でも、互いの音声を聴き易くすることができる携帯電話端末を得ることを目的とする。
【課題を解決するための手段】
【００１０】
この発明に係る携帯電話端末は、現在接続されている基地局と無線通信を実施して、その基地局が設置されている国を示す国識別情報を収集する識別情報収集手段と、その識別情報収集手段により収集された国識別情報と相手端末の電話番号から相手端末が存在している国を特定する国特定手段とを設け、国特定手段により特定された国に適するゲインを送話アンプと受話アンプに設定するようにしたものである。
【発明の効果】
【００１１】
この発明によれば、現在接続されている基地局と無線通信を実施して、その基地局が設置されている国を示す国識別情報を収集する識別情報収集手段と、その識別情報収集手段により収集された国識別情報と相手端末の電話番号から相手端末が存在している国を特定する国特定手段とを設け、国特定手段により特定された国に適するゲインを送話アンプと受話アンプに設定するように構成したので、相手端末がどこの国に存在する場合でも、互いの音声を聴き易くすることができる効果がある。
【発明を実施するための最良の形態】
【００１２】
実施の形態１．
図１はこの発明の実施の形態１による携帯電話端末を示す構成図であり、図において、マイク１はユーザが発する音声を入力し、その音声を示す音声信号を送話アンプ２に出力する。
送話アンプ２はマイク１から出力された音声信号を増幅し、増幅後の音声信号をベースバンド信号処理部３に出力する。
ベースバンド信号処理部３は送話アンプ２により増幅された音声信号を符号化して、送信符号化信号を無線部４に出力する一方、無線部４から出力された受信符号化信号を復号化して、音声信号に変換する。
【００１３】
無線部４はベースバンド信号処理部３から出力された送信符号化信号を変調し、アンテナ５を介して、その変調信号を基地局（図示せぬ）に送信する一方、アンテナ５が基地局から送信された変調信号を受信すると、その変調信号を復調し、その復調信号である受信符号化信号をベースバンド信号処理部３に出力する。
受話アンプ６はベースバンド信号処理部３から出力された音声信号を増幅し、増幅後の音声信号をレシーバ７に出力する。
レシーバ７は受話アンプ６から出力された音声信号にしたがって音声を再生する。
【００１４】
キー操作部８はユーザによる携帯電話端末のキー操作を受け付けて、例えば、携帯電話端末の電源を入切する操作や、相手端末の電話番号を入力する操作などを受け付ける。
通信制御部９は例えば基地局に位置登録する際、ベースバンド信号処理部３及び無線部４を制御して、その基地局が設置されている国を示す国識別情報として、その基地局が所属している電話会社のＭＣＣ（Ｍｏｂｉｌｅ  Ｃｏｕｎｔｒｙ  Ｃｏｄｅ）を取得する。また、通信制御部９はキー操作部８から相手端末の電話番号を受けると、ベースバンド信号処理部３及び無線部４を制御して、相手端末に対する発呼処理を実施するとともに、相手端末の電話番号と電話会社のＭＣＣをゲイン設定部１１に出力する。
なお、通信制御部９は識別情報収集手段を構成している。
【００１５】
ゲイン設定テーブル１０は相手端末が存在している国を特定する規則を示すテーブルを格納しているほか、相手端末が存在している国に適する送話アンプ２のゲインと受話アンプ６のゲインを示すテーブルを格納しているメモリである。
図３は相手端末が存在している国を特定する規則を示すテーブルの説明図であり、図４は相手端末が存在している国に適する送話アンプ２のゲインと受話アンプ６のゲインを示すテーブルの説明図である。
【００１６】
ゲイン設定部１１はゲイン設定テーブル１０に格納されている図３のテーブルから国特定規則を読み込み、その国特定規則にしたがって通信制御部９より出力された国識別情報と相手端末の電話番号から相手端末が存在している国を特定する。
また、ゲイン設定部１１はゲイン設定テーブル１０に格納されている図４のテーブルを参照して、相手端末が存在している国に適するゲインを送話アンプ２と受話アンプ６に設定する。
なお、ゲイン設定テーブル１０及びゲイン設定部１１から国特定手段とゲイン設定手段が構成されている。
図２はこの発明の実施の形態１による携帯電話端末の処理内容を示すフローチャートである。
【００１７】
次に動作について説明する。
ユーザがキー操作部８を操作して、携帯電話端末の電源を入れると、通信制御部９がベースバンド信号処理部３及び無線部４を制御して、基地局に位置登録を行う。
通信制御部９は、基地局に位置登録を行う際、その基地局が設置されている国を示す国識別情報として、その基地局が所属している電話会社のＭＣＣを取得する（ステップＳＴ１）。
なお、通信制御部９は、携帯電話端末がハンドオーバーを行うと、ハンドオーバー後の基地局から電話会社のＭＣＣを取得する。
【００１８】
その後、ユーザがキー操作部８を操作して、相手端末の電話番号を入力すると（ステップＳＴ２）、通信制御部９がベースバンド信号処理部３及び無線部４を制御して、相手端末に対する発呼処理を実施する。
相手端末の電話番号は、ユーザがキー操作部８の数字キーをプッシュして、直接入力するようにしてもよいし、内部メモリに記録されている電話帳から検索するようにしてもよい。
また、通信制御部９は、相手端末の電話番号を入力すると（ステップＳＴ２）、相手端末の電話番号と電話会社のＭＣＣをゲイン設定部１１に出力する。
【００１９】
ゲイン設定部１１は、通信制御部９から相手端末の電話番号と電話会社のＭＣＣを受けると、ゲイン設定テーブル１０に格納されている図３のテーブルから国特定規則の読み込みを行う。
ゲイン設定部１１は、図３のテーブルから国特定規則を読み込むと、その国特定規則にしたがって通信制御部９より出力された国識別情報と相手端末の電話番号から相手端末が存在している国を特定する（ステップＳＴ３）。
即ち、ゲイン設定部１１は、通信制御部９から出力された相手端末の電話番号に国番号が含まれていれば（相手端末の電話番号に＋８１が含まれている場合）、その国番号（＋８１に後続する国番号）から相手端末が存在している国を特定する。
一方、相手端末の電話番号に国番号が含まれていなければ（相手端末の電話番号に＋８１が含まれていない場合）、通信制御部９から出力された国識別情報が示す国と同一の国に相手端末が存在しているものと認識する。
【００２０】
ゲイン設定部１１は、上記のようにして、相手端末が存在している国を特定すると、ゲイン設定テーブル１０に格納されている図４のテーブルを参照して、相手端末が存在している国に適するゲインを送話アンプ２と受話アンプ６に設定する（ステップＳＴ４）。
例えば、相手端末が存在している国がＡ国であれば、設定値ＴAのゲインを送話アンプ２に設定して、設定値ＲAのゲインを受話アンプ６に設定する。
また、相手端末が存在している国がＢ国であれば、設定値ＴBのゲインを送話アンプ２に設定して、設定値ＲBのゲインを受話アンプ６に設定する。
【００２１】
以上で明らかなように、この実施の形態１によれば、現在接続されている基地局と無線通信を実施して、その基地局が設置されている国を示す国識別情報を収集する通信制御部９と、その通信制御部９により収集された国識別情報と相手端末の電話番号から相手端末が存在している国を特定するゲイン設定部１１とを設け、ゲイン設定部１１が、相手端末が存在している国に適するゲインを送話アンプ２と受話アンプ６に設定するように構成したので、相手端末がどこの国に存在する場合でも、互いの音声を聴き易くすることができる効果を奏する。
【００２２】
また、この実施の形態１によれば、相手端末の電話番号に国番号が含まれていれば、その国番号から相手端末が存在している国を特定し、相手端末の電話番号に国番号が含まれていなければ、相手端末が存在している国が国識別情報が示す国と同一の国であると認識するように構成したので、相手端末と無線通信が確立する前の段階で、相手端末が存在している国を特定することができる効果を奏する。
【００２３】
実施の形態２．
図５はこの発明の実施の形態２による携帯電話端末を示す構成図であり、図において、図１と同一符号は同一または相当部分を示すので説明を省略する。
ＵＩＭ（Ｕｓｅｒ  Ｉｄｅｎｔｉｔｙ Ｍｏｄｕｌｅ）カード１２は携帯電話端末の使用が許可されている国を示す国識別情報として、自端末のＭＣＣ（Ｍｏｂｉｌｅ  Ｃｏｕｎｔｒｙ  Ｃｏｄｅ）を記録している内蔵メモリカードである。
通信制御部１３は図１の通信制御部９と同様に、例えば基地局に位置登録する際、ベースバンド信号処理部３及び無線部４を制御し、また、通信制御部９はキー操作部８から相手端末の電話番号を受けると、ベースバンド信号処理部３及び無線部４を制御して、相手端末に対する発呼処理を実施するとともに、ＵＩＭカード１２から自端末のＭＣＣを読み込み、自端末のＭＣＣと相手端末の電話番号をゲイン設定部１１に出力する。
なお、通信制御部１３は識別情報読込手段を構成している。
【００２４】
上記実施の形態１では、通信制御部９が基地局から電話会社のＭＣＣを取得し、ゲイン設定部１１が電話会社のＭＣＣと相手端末の電話番号から相手端末が存在している国を特定するものについて示したが、携帯電話端末を使用する国が制限されている場合（例えば、日本国内での使用に制限されているような場合）には、通信制御部１３がＵＩＭカード１２から自端末のＭＣＣを読み込み、ゲイン設定部１１が自端末のＭＣＣと相手端末の電話番号から相手端末が存在している国を特定するようにしてもよく、上記実施の形態１と同様の効果を奏することができる。
【図面の簡単な説明】
【００２５】
【図１】この発明の実施の形態１による携帯電話端末を示す構成図である。
【図２】この発明の実施の形態１による携帯電話端末の処理内容を示すフローチャートである。
【図３】相手端末が存在している国を特定する規則を示すテーブルの説明図である。
【図４】相手端末が存在している国に適する送話アンプ２のゲインと受話アンプ６のゲインを示すテーブルの説明図である。
【図５】この発明の実施の形態２による携帯電話端末を示す構成図である。
【符号の説明】
【００２６】
１  マイク、２  送話アンプ、３  ベースバンド信号処理部、４  無線部、５  アンテナ、６  受話アンプ、７  レシーバ、８  キー操作部、９  通信制御部（識別情報収集手段）、１０  ゲイン設定テーブル（国特定手段、ゲイン設定手段）、１１  ゲイン設定部（国特定手段、ゲイン設定手段）、１２  ＵＩＭカード、１３  通信制御部（識別情報読込手段）。
【図１】
2007312016.tif 000003
【図２】
2007312016.tif 000004
【図３】
2007312016.tif 000005
【図４】
2007312016.tif 000006
【図５】
2007312016.tif 000007